(57)【要約】【課題】  本発明は地域内情報を安価に放送送出することができるとともに、地域住民である視聴者はテレビモニターで各人の都合のいい時間に地域内情報を選択的に読むことができ、確実に地域内情報を地域住民に伝達することができる地域内情報の伝達方法を得るにある。【解決手段】  ＣＡＴＶ局を含む放送局で自局放送エリア内情報を字幕放送データとなるように編成作業を行ない、字幕放送をしていない時間帯に、該字幕放送データのみを放送送出する字幕放送データの放送送出工程と、この字幕放送データの放送送出工程で放送送出された字幕放送データをテレビ視聴者側に設置されているデジタル字幕放送用レコーダ（クローズドキャプションレコーダ＜テレビ録字機＞）の字幕放送データ保存機能で記録媒体にテキストデータ保存するテキストデータ保存工程と、デジタル字幕放送用レコーダに保存された前記テキストデータを、該デジタル字幕放送用レコーダのテキストデータ再生機能でテレビモニターに再生表示する再生表示工程とで地域内情報の伝達方法を構成している。【選択図】  図１
2013258563.tif 000002
【特許請求の範囲】
【請求項１】
ＣＡＴＶ局を含む放送局で自局放送エリア内情報を字幕放送データとなるように編成作業を行ない、字幕放送をしていない時間帯に、該字幕放送データのみを放送送出する字幕放送データの放送送出工程と、この字幕放送データの放送送出工程で放送送出された字幕放送データをテレビ視聴者側に設置されているデジタル字幕放送用レコーダ（クローズドキャプションレコーダ＜テレビ用録字機＞）の字幕放送データ保存機能で記録媒体にテキストデータ保存するテキストデータ保存工程と、デジタル字幕放送用レコーダに保存された前記テキストデータを、該デジタル字幕放送用レコーダのテキストデータ再生機能でテレビモニターに再生表示する再生表示工程とからなることを特徴とする地域内情報の伝達方法。
【請求項２】
デジタル字幕放送用レコーダの記録媒体はＵＳＢメモリーで、このＵＳＢメモリーに保存されたテキストデータをＰＣプリンター出力できることを特徴とする請求項１記載の地域内情報の伝達方法。
【請求項３】
地域内情報は地元自治体の住民への広報・連絡事項、地域商店の買物特価情報、学校・保育・幼稚園、その他からの広報連絡ツールとすることを特徴とする請求項１あるいは請求項２いずれかに記載の地域内情報の伝達方法。
【発明の詳細な説明】
【技術分野】
【０００１】
本発明は地元自治体の住民への広報・連絡事項、学校等の連絡、地域商店の買物特価情報等の地域内情報の伝達方法に関する。
【背景技術】
【０００２】
従来、地域内の情報は広報紙、回覧板、チラシ、有線放送、ＣＡＴＶ等の放送手段を用いて行なっている。
【０００３】
しかしながら、広報紙、回覧板、チラシ等で行なうと手数がかかり、コスト高になるという欠点があり、有線放送やＣＡＴＶ等の放送手段は、手数がかかり、コスト高になるという欠点があるとともに、放送の時間が設定されているため、その時間に用事があると、聞き逃してしまい、情報が伝わらないという欠点があった。
【先行技術文献】
【特許文献】
【０００４】
【特許文献１】特開２００５−１１０７７号公報
【発明の概要】
【発明が解決しようとする課題】
【０００５】
本発明は以上のような従来の欠点に鑑み、地域内情報を安価に放送送出することができるとともに、地域住民である視聴者はテレビモニターで各人の都合のいい時間に地域内情報を選択的に読むことができ、確実に地域内情報を地域住民に伝達することができる地域内情報の伝達方法を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明はＣＡＴＶ局を含む放送局で自局放送エリア内情報を字幕放送データとなるように編成作業を行ない、字幕放送をしていない時間帯に、該字幕放送データのみを放送送出する字幕放送データの放送送出工程と、この字幕放送データの放送送出工程で放送送出された字幕放送データをテレビ視聴者側に設置されているデジタル字幕放送用レコーダ（クローズドキャプションレコーダ＜テレビ録字機＞）の字幕放送データ保存機能で記録媒体にテキストデータ保存するテキストデータ保存工程と、デジタル字幕放送用レコーダに保存された前記テキストデータを、該デジタル字幕放送用レコーダのテキストデータ再生機能でテレビモニターに再生表示する再生表示工程とで地域内情報の伝達方法を構成している。
【発明の効果】
【０００８】
以上の説明から明らかなように、本発明にあっては次に列挙する効果が得られる。
（１）請求項１により、放送局で字幕放送していない時間帯にエリア内情報の字幕放送データのみを放送送出するので、安価にエリア内情報の字幕放送データを放送送出することができる。
（２）前記（１）により、地域住民である視聴者は都合のいい時間に、デジタル字幕放送用レコーダでテレビモニターに再生表示して地域内情報を選択的に読むことができる。
したがって、地域住民である視聴者の都合で聞き逃したりするのを確実に防止でき、地域内情報を確実に伝達することができる。
（３）前記（１）によって、地域内情報を経済的に発信することができるとともに、地域住民である視聴者は都合のよいときに必要な地域内情報を見ることができるので、地域内情報を最適に伝達することができる。
（４）請求項２も前記（１）〜（３）と同様な効果が得られるとともに、記録媒体としてＵＳＢメモリーを使用することで、操作が容易に記録したり、ＰＣプリンター出力することができる。
（５）請求項３も前記（１）〜（３）と同様な効果が得られるとともに、地方自治体や学校等の広報連絡ツールとして使用することができる。
【図面の簡単な説明】
【０００９】
【図１】本発明を実施するための第１の形態の工程図。
【図２】本発明を実施するための第１の形態のブロック図。
【図３】本発明を実施するための第１の形態の概略説明図。
【図４】再生表示工程の説明図。
【図５】字幕放送データを保存したＵＳＢメモリーの使用状態の説明図。
【発明を実施するための形態】
【００１０】
以下、図面に示す本発明を実施するための形態により、本発明を詳細に説明する。
【００１１】
図１ないし図５に示す本発明を実施するための第１の形態において、１は地元自治体の住民への広報・連絡事項、学校・保育・幼稚園等の連絡、地域商店の買物特価情報等の地域内情報を、地元住民であるデジタルテレビ視聴者に伝達する地域内情報の伝達方法で、この地域内情報の伝達方法１はＣＡＴＶ局を含む放送局２で自局放送エリア内情報を字幕放送データとなるように編成作業３を行ない、字幕放送をしていない時間帯に、該字幕放送データのみを透明字幕等により、放送送出４する字幕放送データの放送送出工程５と、この字幕放送データの放送送出工程５で放送送出４された字幕放送データをテレビ視聴者側に設置されているデジタル字幕放送用レコーダ６（クローズドキャプションレコーダ＜テレビ録字機＞）の字幕放送データ保存機能７でＵＳＢメモリーを用いた記録媒体８にテキストデータ保存するテキストデータ保存工程９と、デジタル字幕放送用レコーダ６に保存された前記テキストデータを該デジタル字幕放送用レコーダ６のテキストデータ再生機能１０でテレビモニター１１に再生表示する再生表示工程１２とで構成されている。
【００１２】
前記デジタル字幕放送用レコーダ６は本願発明者が発明し、本願発明者の会社である株式会社スピードワープロ研究所より、平成２４年０１月より市販されたもので、デジタル字幕放送１３の映像信号、音声信号および字幕データ信号を電波あるいはケーブルで受信する映像信号受信器１４、音声信号受信器１５および字幕データ信号受信器１６と、この映像信号受信器１４、音声信号受信器１５および字幕データ信号受信器１６からの信号をそれぞれ受信して視聴者のテレビモニター１１へ送信する映像信号送信器１７、音声信号送信器１８および字幕データ信号送信器１９と、前記映像信号受信器１４、音声信号受信器１５と前記映像信号送信器１７、音声信号送信器１８との間に設けられた、前記視聴者のテレビモニター１１での変調しないそのままの字幕表示に合わせて、映像表示、音声表示の表示タイミングを、例えばリモコン２３で２１段（０〜２０秒）に可変調整することができる可変表示調整器２０とで構成されている。
【００１３】
なお、記録媒体８として、ＵＳＢメモリーを用いたものについて説明したが、ＳＤカード、ハードデスク、ＣＤ、ＤＶＤ等を用いてもよい。
【００１４】
前記字幕データ信号受信器１６はＵＳＢ端子２１に記録媒体８としてＵＳＢメモリー８ａを挿入することにより、字幕データが日時を含む状態で記録・保存されるように構成され、日時を含む状態で記録・保存された字幕データは字幕テキストファイルで、視聴者のデジタルテレビ１１であるデジタルテレビモニターの画面に再生できる。
【００１５】
そして、テレビモニターの画面で再生された再生表示の文字サイズは、極大、大、中、小、極小に、その文字色は白、黄、青、緑、黒に、画面色は、黒、青、白に、表示切替はページ単位２行〜１２行、スクロール等にそれぞれ可変設定ができる。
【００１６】
ところで、この実施の形態では直接テレビ視聴ができない番組もチャンネルを設定しておけば、指定番組の字幕放送の全文が自動記録されるようになっている。
【００１７】
また、自動記録された文字データは放送時間に拘束されずに「速読」、「再読」、
「拾読」等々、自分流で放送内容の掌握ができる。
【００１８】
また、前記視聴者のテレビモニター１１は自宅のテレビでよく、自宅のテレビが「観るだけのテレビ」から「読むテレビ機能」が追加され、自宅テレビが「先端多機能テレビ」に変身できる。
【００１９】
さらに、前記ＵＳＢメモリー８ａをＰＣに挿入すれば、プリンターで文字出力ができる。なお、図５に示すようなＵＳＢポート付プリンター２２なら、直接接続すればＰＣがなくても即印刷もできる。
【００２０】
加えて、字幕放送される各種番組には書籍にしたいものがたくさんあるが、このデジタル字幕放送用レコーダ６があれば、自分利用のためなら即印刷して活用できる。
【００２１】
ＰＣ等で作成されたＵＳＢメモリーのテキストデータは、ＵＳＢ端子に挿入すると、そのままテレビ画面に文字表示させることもできる。  
付言すると、ＵＳＢ端子を利用し、点字周辺機器への接続等、福祉機器類等への多様な利用展開が考えられる。    
【産業上の利用可能性】
【００２２】
本発明は地域内情報を地域住民に伝える産業で利用される。
【符号の説明】
【００２３】
１：地域内情報の伝達方法、  ２：放送局、
３：編成作業、      ４：放送送出、
５：字幕放送データの放送送出工程、  
６：デジタル字幕放送用レコーダ、
７：字幕放送データ保存機能、  ８：記録媒体、
９：テキストデータ保存工程、  １０：テキストデータ再生機能、
１１：テレビモニター、  １２：再生表示工程、
１３：デジタル字幕放送、    １４：映像信号受信器、
１５：音声信号受信器、    １６：字幕データ信号受信器、
１７：映像信号送信器、    １８：音声信号送信器、
１９：字幕データ信号送信器、  ２０：可変表示調整器、
２１：ＵＳＢ端子、      ２２：ＵＳＢポート付プリンター、
２３：リモコン。
【図１】
2013258563.tif 000003
【図２】
2013258563.tif 000004
【図３】
2013258563.tif 000005
【図４】
2013258563.tif 000006
【図５】
2013258563.tif 000007